(57)【要約】【課題】巻止めテープが捲回電極体の扁平部に配置された構成の電池であって、Ｌｉ析出が適切に抑制され得る非水電解液二次電池を提供する。【解決手段】本発明は、捲回電極体と、非水電解液と、電池ケースと、絶縁フィルムとを備えた非水電解液二次電池に関する。上記捲回電極体の捲回方向の終端部は、該終端部と一方の扁平表面とにテープが貼着されることにより固定されている。また、絶縁フィルムは、上記テープに隣接して対向する部分に凹部が設けられている。なお、上記テープが貼着された一方の扁平表面に対向する部分であって上記凹部を除く部分の絶縁フィルムの平均厚みａは、上記テープが貼着されていない他方の扁平表面に対向する部分の絶縁フィルムの平均厚みｂより大きい。【選択図】図５
2019067653.tif 000002
【特許請求の範囲】
【請求項１】
扁平な捲回電極体と、
非水電解液と、
前記捲回電極体と前記非水電解液とが収容される電池ケースと、
前記電池ケースの内壁と前記捲回電極体との間に配置されて、前記電池ケースと前記捲回電極体とを電気的に絶縁する絶縁性のフィルムと、
を備える非水電解液二次電池であって、
前記捲回電極体は、長尺な正極と長尺な負極とが長尺なセパレータを介して重ねあわされ、該長尺な正負極の長手方向に捲回されて形成されており、
前記捲回電極体は、捲回軸に直交する断面において、扁平部を有しており、
前記扁平部は、前記捲回電極体の表面を構成する２つの対向する扁平表面を有しており、
前記捲回電極体の捲回方向の終端部は、該終端部と前記一方の扁平表面とにテープが貼着されることにより固定されており、
前記絶縁フィルムは、前記テープに隣接して対向する部分に凹部が設けられており、
前記テープが貼着された一方の前記扁平表面に対向する部分であって前記凹部を除く部分の前記絶縁フィルムの平均厚みａは、前記テープが貼着されていない他方の前記扁平表面に対向する部分の前記絶縁フィルムの平均厚みｂより大きい、
ことを特徴する非水電解液二次電池。
【発明の詳細な説明】
【技術分野】
【０００１】
本発明は非水電解液二次電池に関する。詳しくは、捲回電極体と非水電解液と絶縁フィルムとを備える非水電解液二次電池に関する。
【背景技術】
【０００２】
リチウムイオン二次電池その他の非水電解液二次電池は、車両搭載用電源あるいはパソコンや携帯端末等の電源として重要性が高まっている。特に、軽量で高エネルギー密度が得られるリチウムイオン二次電池は、車両搭載用高出力電源として好ましく用いられている。この種の電池においては、シート状の正極とシート状の負極をセパレータと共に積層し捲回させた捲回電極体と、非水電解液とを備えた電池構造が知られている。また、電池ケースとしては物理的強度が大きいという観点から金属製のケースが使用されており、この場合には電池ケースと電極体とを絶縁するために、典型的には電極体を絶縁性フィルムで被覆することが行われている。例えば特許文献１、２および３には、電極体と電池ケースとを備えた電池において、捲回電極体と電池ケースとの間に絶縁フィルムを配置することが記載されている。
【先行技術文献】
【特許文献】
【０００３】
【特許文献１】特開２０１５−１５３４５４号公報
【特許文献２】特開２０１４−２３５９３０号公報
【特許文献３】特開２０１５−１１８９５号公報
【発明の概要】
【発明が解決しようとする課題】
【０００４】
ところで捲回電極体において、その捲回状態を保持するために、巻止めテープによって該電極体の捲回方向の終端部が該電極体の外表面に固定され得る。上記終端部の捲回電極体における位置については、例えば特許文献１には、正極の巻き終端と負極の巻き終端が、捲回電極体の下部屈曲部（下側Ｒ部）または扁平部に配置されて形成された捲回電極体が開示されている。しかしながら、捲回電極体の下側Ｒ部に巻止めテープが配置されると、かかる部位において局所的に正極活物質中の金属元素が溶出し易くなるため好ましくない。一方、捲回電極体の扁平部に巻止めテープが配置されると、テープ貼付部の面圧が局所的に増加し、正負極間距離が縮まって電流が集中するため、リチウム（Ｌｉ）が析出し易くなることがある。特に、このように捲回電極体の扁平部に巻止めテープが配置された電池を複数個用いて組電池を構築した場合、該電池に外側から拘束圧が掛けられるため、捲回電極体の面圧はより上昇する傾向がある。
【０００５】
そこで本発明は、巻止めテープが捲回電極体の扁平部に配置された構成（すなわち、捲回電極体の捲回方向の終端部が該捲回電極体の扁平部に配置された構成）の電池であって、テープ貼付部の面圧が局所的に増加するのを防止してＬｉ析出が適切に抑制され得る非水電解液二次電池を提供することを目的とする。
【課題を解決するための手段】
【０００６】
本発明によって提供される非水電解液二次電池は、扁平な捲回電極体と、非水電解液と、該捲回電極体と該非水電解液とが収容される電池ケースと、該電池ケースの内壁と該捲回電極体との間に配置されて該電池ケースと該捲回電極体とを電気的に絶縁する絶縁性のフィルムと、を備える。上記捲回電極体は、長尺な正極と長尺な負極とが長尺なセパレータを介して重ねあわされ、該長尺な正負極の長手方向に捲回されて形成されている。また、上記捲回電極体は、捲回軸に直交する断面において、扁平部を有している。
そして、上記扁平部は、上記捲回電極体の表面を構成する２つの対向する扁平表面を有している。上記捲回電極体の捲回方向の終端部は、該終端部と上記一方の扁平表面とにテープが貼着されることにより固定されている。上記絶縁フィルムは、上記テープに隣接して対向する部分に凹部が設けられている。なお、上記テープが貼着された一方の上記扁平表面に対向する部分であって上記凹部を除く部分の上記絶縁フィルムの平均厚みａは、上記テープが貼着されていない他方の上記扁平表面に対向する部分の上記絶縁フィルムの平均厚みｂより大きい。
【０００７】
かかる構成によると、テープが貼着された一方の上記扁平表面に対向する部分であって上記凹部を除く部分の絶縁フィルムの厚みが十分に大きいため、該絶縁フィルムは実用上十分な絶縁性を保ちながら巻止めテープの厚みに対応する凹部を設けることが可能となる。これにより巻止めテープの少なくとも一部（好ましくは全部）が上記凹部に適切に内包されて、捲回電極体を被覆する絶縁フィルムの外表面における凹凸の発生が抑制され、捲回電極体の扁平部にかかる面圧がより均一化される。したがって、かかる捲回電極体および絶縁フィルムを備える非水電解液二次電池によると、該二次電池を複数個組み合わせて組電池を構築した場合であっても、該電池に外側から掛けられる拘束圧が巻止めテープの貼着部近傍に局所的に加わるのを防止し、ひいては該局所的な面圧上昇に因るＬｉ析出を未然に防止することができる。
【図面の簡単な説明】
【０００８】
【図１】本発明の一実施形態に係る非水電解液二次電池の外形を模式的に示す斜視図である。
【図２】一実施形態に係る非水電解液二次電池の構成を模式的に示す分解斜視図である。
【図３】図１中のＩＩＩ−ＩＩＩ線に沿う断面構造を模式的に示す縦断面図である。
【図４】一実施形態に係る捲回電極体の構成を示す模式図である。
【図５】図３中のＶ−Ｖ線に沿う縦断面構造を模式的に示す縦断面図である。
【発明を実施するための形態】
【０００９】
以下、図面を参照しながら本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。また、以下の図面において、同じ作用を奏する部材、部位には同じ符号を付し、重複する説明は省略または簡略化することがある。各図における寸法関係（長さ、幅、厚さ等）は、必ずしも実際の寸法関係を反映するものではない。
【００１０】
なお、本明細書において「二次電池」とは、繰り返し充放電可能な蓄電デバイス一般をいい、リチウムイオン二次電池等のいわゆる蓄電池ならびに電気二重層キャパシタ等の蓄電素子を包含する用語である。また、「非水電解液二次電池」とは、非水電解液（典型的には、非水溶媒中に支持塩（支持電解質）を含む電解液）を備えた電池をいう。また、「リチウムイオン二次電池」とは、電荷担体としてリチウムイオンを利用し、正負極間のリチウムイオンの移動により充放電する二次電池をいう。また、電極活物質とは、電荷担体となる化学種（リチウムイオン二次電池ではリチウムイオン）を可逆的に吸蔵および放出し得る材料をいう。以下、角型のリチウムイオン二次電池を例にして本発明の電池の構造について詳細に説明するが、本発明をかかる実施形態に記載されたものに限定することを意図したものではない。
【００１１】
図１は本発明の一実施形態に係るリチウムイオン二次電池の外形を模式的に示す斜視図であり、図２は一実施形態に係るリチウムイオン二次電池の構成を模式的に示す分解斜視図である。図３は、図１中のＩＩＩ−ＩＩＩ線に沿う断面構造を模式的に示す縦断面図である。ここに開示されるリチウムイオン二次電池１００は、大まかにいって、扁平形状の捲回電極体８０と絶縁フィルム１０と非水電解液（図示せず）とが扁平な角形の電池ケース（即ち外装容器）３０に収容されて構成されている。
【００１２】
本実施形態に係る電池ケース３０は、一端（電池の通常の使用状態における上端部に相当する。）に開口部を有する箱形の角型ケース本体３２と、ケース本体３２の開口部を封止する長方形状の蓋体３４とから構成される。この開口部より、絶縁フィルム１０と捲回電極体８０を電池ケース内に収容することができる。ケース本体３２は、ケース内に収容される捲回電極体８０の扁平表面（扁平部）に対向する一対の幅広面３７と、幅広面３７に隣接する一対の幅狭面３８と、底面３９とから構成されている。電池ケース３０の材質は、高強度であり軽量で熱伝導性が良い金属製材料が好ましく、このような金属製材料として、例えば、アルミニウム、ステンレス鋼、ニッケルめっき鋼などが挙げられる。
【００１３】
蓋体３４には外部接続用の正極端子４２および負極端子４４と、電池ケース３０の内圧が所定レベル（例えば設定開弁圧０．３ＭＰａ〜１．０ＭＰａ程度）以上に上昇した場合に該内圧を開放するように設定された薄肉の安全弁３６と、非水電解液を注入するための注入口（図示せず）が設けられている。また、図示はしていないが、電池ケース３０の内部には、電池ケース３０の内圧上昇により作動する電流遮断機構（Ｃｕｒｒｅｎｔ  Ｉｎｔｅｒｒｕｐｔ  Ｄｅｖｉｃｅ：ＣＩＤ）が設けられてもよい。電池ケース３０の各寸法は、捲回電極体８０、絶縁フィルム１０、非水電解液といった電池ケース内に収容される部材が収容可能であれば、特に限定されない。捲回電極体８０および絶縁フィルム１０等を収容可能であり、かつデッドスペースが小さい電池ケース３０（電池ケース本体３２）が好ましい。
【００１４】
図４は、一実施形態に係る捲回電極体８０の構成を示す模式図である。図５は、図３中のＶ−Ｖ線に沿う縦断面構造を模式的に示す縦断面図である。捲回電極体８０は、長尺なシート状の正極（正極シート）５０と長尺なシート状の負極（負極シート）６０と当該正負極シートの間に介在された２枚のセパレータ（セパレータシート）７０とが長手方向に積層された状態で捲回されて形成されている。
【００１５】
正極シート５０は、長尺（帯状）の正極集電体５２の片面または両面（ここでは両面）に、長手方向に沿って正極活物質層５４が形成されて構成されている。正極集電体５２の幅方向片側の縁部には、該縁部に沿って帯状に正極活物質層５４が形成されずに正極集電体５２が露出した部分（即ち、正極活物質層非形成部分５３）が設けられている。また、負極シート６０は、長尺（帯状）の負極集電体６２の片面または両面（ここでは両面）に、長手方向に沿って負極活物質層６４が形成されて構成されている。負極集電体６２の幅方向片側の縁部には、該縁部に沿って帯状に負極活物質層６４が形成されずに負極集電体６２が露出した部分（即ち、負極活物質層非形成部分６３）が設けられている。
【００１６】
図４に示すように、上記積層の際には、正極シート５０は、捲回電極体８０の一方（図では左側）の端部に正極シート５０の正極活物質層非形成部分５３の一部が突出するように、負極シート６０は他方（図では右側）の端部に負極シート６０の負極活物質層非形成部分６３の一部が突出するように、幅方向で互いにずらして重ね合わされている。その結果、捲回電極体８０の中央部には正極シート５０と負極シート６０とセパレータシート７０とが積層されて捲回された積層部が形成される一方で、捲回電極体８０の捲回軸ＷＬの両端に、正極活物質層非形成部分５３および負極活物質層非形成部分６３が形成される。正極活物質層非形成部分５３および負極活物質層非形成部分６３には、図３に示すように、正極集電板４２ａおよび負極集電板４４ａが超音波溶接、抵抗溶接等によりそれぞれ接合されている。正極集電板４２ａおよび負極集電板４４ａは、それぞれ、正極端子４２および負極端子４４と電気的に接続されている。
【００１７】
扁平形状の捲回電極体８０は、図４に示すように、捲回軸ＷＬに直交する断面において、長手方向の両端部であって電極体表面が曲面からなる２つのＲ部（８０Ｒ１、８０Ｒ２）と、該断面の長手方向の中央部であって２つのＲ部（８０Ｒ１、８０Ｒ２）に挟まれた扁平部８０Ｆとから構成されている。捲回電極体８０は、捲回軸ＷＬに直交する断面において、長手方向が上記電池ケースの上下方向となるように（捲回電極体８０の捲回軸ＷＬが横倒しとなる姿勢、即ち、捲回電極体８０の捲回軸ＷＬの法線方向に上記電池ケース本体３２の開口が形成されている。）、上記２つのＲ部（８０Ｒ１，８２Ｒ２）のうち一方のＲ部８０Ｒ１が、電池ケース３０の底面３９に対向するように、電池ケース３０（即ち、電池ケース本体３２）内に収容されている。
【００１８】
捲回電極体８０の扁平部８０Ｆは、図５に示すように、捲回電極体８０の表面を構成する２つの対向する扁平表面８２ａ、８２ｂを有している。ここに開示される捲回電極体８０の捲回方向の終端部８８（典型的には、図４に示すように、捲回電極体８０の外表面を構成するセパレータシート７０の捲回方向の終端部８８を指す。）が扁平部８０Ｆの扁平表面８２ａに配置される。終端部８８が扁平部８０Ｆに配置された捲回電極体８０を備えたリチウムイオン二次電池１００は、例えば、終端部８８がＲ部８０Ｒ１、８０Ｒ２に配置された構成のリチウムイオン二次電池と比較して、Ｒ部８０Ｒ１、８０Ｒ２における内部微小短絡が発生しにくいため好ましい。終端部８８は、捲回電極体８０が巻き解れないように扁平部８０Ｆの扁平表面８２ａ上に巻止めテープ８６で固定される。
なお、特に限定しないが、捲回電極体８０は、終端部８８が電池ケース３０の底面３９側から蓋体３４に向かう方向に捲回されて扁平表面８２ａに配置される状態（姿勢）で電池ケース３０内に収容されることが好ましい。このような状態（姿勢）で配置することによって、終端部８８および巻止めテープ８６の存在にかかわらず、よりスムーズに捲回電極体８０を電池ケース本体３２に収容することができる。
【００１９】
巻止めテープ８６の材質としては特に限定されないが、絶縁性、粘着性、耐薬品性等に優れた巻止めテープ８６が好ましく採用され得る。巻止めテープ８６の形状および大きさは、本発明の効果を発揮し得る限りにおいて特に限定されない。捲回電極体８０の扁平部８０Ｆにかかる面圧の均一化の観点からは、薄い扁平状の巻止めテープ８６が好ましい。例えば、巻止めテープ８６の厚さは１０μｍ以上１５０μｍ以下（典型的には２５μｍ以上７５μｍ以下）であり得る。
【００２０】
絶縁フィルム１０は、図２に示すように、電池ケース３０（電池ケース本体３２）と電極体８０とを隔離するように、電池ケース３０の内壁と捲回電極体８０との間に配置される。かかる絶縁フィルム１０によって発電要素である捲回電極体８０と電池ケース３０（電池ケース本体３２）との接触が回避され、捲回電極体８０と電池ケース３０との絶縁を確保することができる。
【００２１】
絶縁フィルム１０の形状は、電極体２０と電池ケース３０（電池ケース本体３２）とを絶縁可能であれば特に限定されない。本実施形態に係る絶縁フィルム９０は、図２および図３に示すように、捲回電極体８０の形状に対応して、上端側が開口した有底の袋状に形成されており、かかる開口を介して捲回電極体８０をその内部に収容し得る。
【００２２】
なお、絶縁フィルム１０は、捲回電極体８０と電池ケース３０（電池ケース本体３２）との絶縁性が確保される限りにおいて、例えばその一部に、位置決め用の切欠き部や端子を取り出すための端子取り出し孔等を備えた構成であってもよい。また、絶縁フィルム１０は、本発明の効果を発揮し得る限りにおいて、単層構造であってもよく、二層以上の積層構造であってもよい。
【００２３】
図５を参照して、ここに開示される一実施形態に係る絶縁フィルム１０の構成についてさらに説明する。絶縁フィルム１０は、大まかにいって、捲回電極体８０の一方の幅広面であって巻止めテープ８６が貼着された方（即ち、終端部８８が配置された方）の扁平表面８２ａに対向する第１幅広部１２と、捲回電極体８０の他方の幅広面であって巻止めテープ８６が貼着されていない方（即ち、終端部８８が配置されていない方）の扁平表面８２ｂに対向する第２幅広部１４と、該一対の幅広部１２、１４の間に存在する部分であって捲回電極体８０の底部に対向する底部１６とにより構成される。
【００２４】
ここに開示される絶縁フィルム１０は、第１幅広部１２における巻止めテープ８６に対向する部分において、絶縁フィルム１０の内壁に窪みが形成されて周囲より相対的に肉薄となっている凹部１８が形成されている。かかる構成によると、巻止めテープ８６の貼付部において局所的に厚みが増加しがちであった捲回電極体８０について、絶縁フィルム１０の凹部１８に巻止めテープ８６の少なくとも一部が適切に内包されて、絶縁フィルム１０が捲回電極体８０を被覆している態様の外表面における局所的な凹凸の発生が抑制され得る。かかる絶縁フィルム１０に被覆された捲回電極体８０は、扁平部８０Ｆにかかる面圧が均一化される傾向がある。かかる捲回電極体８０および絶縁フィルム１０を備えるリチウムイオン二次電池１００によると、巻止めテープ８６の貼付部近傍の局所的なＬｉ析出が未然に防止され得る。
【００２５】
凹部１８は、巻止めテープ８６の形状に対応した形状に形成されていることが好ましい。例えば、凹部１８は、扁平状の巻止めテープ８６の形状に対応して長方形に形成され得る。好ましい一態様において、図５に示すように、凹部１８はその縁部において、絶縁フィルム１０の厚みが徐々に変化するように形成された傾斜部２０を有する。かかる態様の絶縁フィルム１０を用いると、捲回電極体８０の扁平部８０Ｆにおける面圧のより高い均一化が実現され得る。
【００２６】
図５に示すように、好ましい一態様において、絶縁フィルム１０の第１幅広部１２のうち凹部１８を除く部分の平均厚みをａとし、絶縁フィルム１０の第２幅広部１４の平均厚みをｂとしたとき、平均厚みａは平均厚みｂより大きい。かかる構成の絶縁フィルム１０によると、絶縁フィルム１０による十分な絶縁性を保ちつつ、巻止めテープ８６を適切に内包し得る凹部１８を設けることが容易になる。絶縁フィルム１０の平均厚みａ、ｂは、本発明の効果を発揮し得る限りにおいて、特に限定されない。例えば、絶縁フィルム１０の平均厚みａは７５μｍ以上２００μｍ以下（典型的には１２５μｍ以上１７５μｍ以下）とすることができる。絶縁フィルム１０の平均厚みｂは１０μｍ以上７５μｍ以下（典型的には２５μｍ以上７５μｍ未満）とすることができる。また、特に限定されないが、平均厚みａ、ｂの差（ａ−ｂ）は、１０μｍ以上１５０μｍ以下とすることができる。上記（ａ−ｂ）が１５０μｍより大きすぎると、絶縁フィルム１０の機械的強度が低下する傾向がある。上記（ａ−ｂ）が１０μｍより小さすぎると、Ｌｉ析出抑制効果が発揮され難い。
【００２７】
絶縁フィルム１０の凹部１８における平均厚みをｃとしたとき、平均厚みｃは特に限定されない。好ましい一実施態様において、凹部１８の平均厚みｃは巻止めテープ８６の厚みより大きい。かかる態様によると、捲回電極体８０の扁平部８０Ｆにおける面圧の均一化と、絶縁フィルム１０による絶縁性が両立して達成されやすい。
【００２８】
絶縁フィルム１０で捲回電極体８０を被覆した後に、捲回電極体８０を絶縁フィルム１０と共に電池ケース３０（電池ケース本体３２）内に挿入することで、捲回電極体８０および絶縁フィルム１０を電池ケース３０内に収容することができる。或いは、絶縁フィルム１０を電池ケース３０（電池ケース本体３２）の開口部の上部に張架し、該張架した絶縁フィルム１０を捲回電極体８０で押下しつつ絶縁フィルム１０および捲回電極体８０を電池ケース３０（電池ケース本体３２）内に収容してもよい。
【００２９】
絶縁フィルム１０の材質としては、絶縁性および耐薬品性に優れた素材を採用することが好ましい。典型的には、捲回電極体８０の形状に沿って湾曲し得る柔軟な素材が好ましい。具体的には、ポリプロピレン、熱可塑性ポリエステル、ポリビニルアルコール、ポリエチレン、ポリアミド、ポリエチレンテレフタラート、ポリ塩化ビニル、ポリカーボネートおよびエチレン酢酸ビニル共重合体からなる群から選択される少なくとも一種の高分子材料等を含む樹脂材料を使用することができる。好ましい一態様において、絶縁フィルム１０はポリプロピレン（ＰＰ）を含む。
【００３０】
次に、本実施形態に係る捲回電極体８０を構成する各部材について簡単に説明するが、本発明は捲回電極体８０を構成する各部材の構造や組成によって限定されるものではない。従来のリチウムイオン二次電池１００の捲回電極体８０と同様のものを使用できる。
【００３１】
本実施形態に係る正極５０は特に限定されず、従来公知のリチウムイオン電池に使用し得るものを好適に使用し得る。例えば、正極５０を構成する正極集電体５２としては、アルミニウム箔等が挙げられる。正極活物質としては、例えば層状構造やスピネル構造等のリチウム複合金属酸化物（例えば、ＬｉＮｉ１／３Ｃｏ１／３Ｍｎ１／３Ｏ２、ＬｉＮｉＯ２、ＬｉＣｏＯ２、ＬｉＦｅＯ２、ＬｉＭｎ２Ｏ４、ＬｉＮｉ０．５Ｍｎ１．５Ｏ４、ＬｉＦｅＰＯ４等）が挙げられる。正極活物質層５４は、活物質以外の成分、例えば導電材やバインダ等を含み得る。導電材としては、アセチレンブラック（ＡＢ）等のカーボンブラックやその他（グラファイト等）の炭素材料を好適に使用し得る。バインダとしては、ＰＶＤＦ等を使用し得る。
このような正極５０は、例えば、適当な粒径の正極活物質と導電材とバインダとを適当な溶媒（例えばＮ−メチル−２−ピロリドン）に分散させ、ペースト状（スラリー状）の組成物を調製し、次に、該組成物の適当量を正極集電体５２の表面に付与した後、乾燥によって溶媒を除去することによって形成することができる。また、必要に応じて適当なプレス処理を施すことによって正極活物質層５４の性状を調整し得る。
【００３２】
本実施形態に係る負極６０は特に限定されず、従来公知のリチウムイオン電池に使用し得るものを好適に使用し得る。例えば、負極６０を構成する負極集電体６２としては、銅箔等が挙げられる。負極活物質としては、例えば、黒鉛、ハードカーボン、ソフトカーボン等の炭素材料を使用し得る。負極活物質層６４は、活物質以外の成分、例えばバインダや増粘剤等を含み得る。バインダとしては、スチレンブタジエンラバー（ＳＢＲ）等を使用し得る。増粘剤としては、例えばカルボキシメチルセルロース（ＣＭＣ）等を使用し得る。
このような負極６０は、例えば、上述の正極５０の場合と同様にして形成することができる。即ち、適当な粒径の負極活物質とバインダとを適当な溶媒（例えばイオン交換水）に分散させ、ペースト状（スラリー状）の組成物を調製し、次に、該組成物の適当量を負極集電体６２の表面に付与した後、乾燥によって溶媒を除去することによって形成することができる。また、必要に応じて適当なプレス処理を施すことによって負極活物質層６４の性状を調整し得る。
【００３３】
本実施形態に係るセパレータ７０は特に限定されず、正極５０と負極６０とを電気的に隔離（絶縁）するとともに非水電解液の保持機能やシャットダウン機能を有するものであれば従来のリチウムイオン二次電池に備えられるのと同様でよい。好適例として、ポリエチレン（ＰＥ）、ポリプロピレン（ＰＰ）、ポリエステル、セルロース、ポリアミド等の樹脂から成る多孔性シート（フィルム）が挙げられる。かかる多孔性シートは、単層構造であってもよく、二層以上の積層構造（例えば、ＰＥ層の両面にＰＰ層が積層された三層構造）であってもよい。
【００３４】
また、本実施形態に係る非水電解液としては、例えば、典型的には有機溶媒（非水溶媒）中に少なくとも支持塩を含有させたものを好適に用いることができる。非水電解液は常温（例えば２５℃）で液状を呈し、好ましい一態様では、電池の使用環境下（例えば−３０℃〜６０℃の温度環境下）で常に液状を呈する。有機溶媒としては特に限定されず、一般的なリチウムイオン二次電池の電解液に用いられ得ることが知られている各種有機溶媒を、１種または２種以上使用することができる。例えば、カーボネート類、エーテル類、エステル類、ニトリル類、スルホン類、ラクトン類等が挙げられる。好適例として、エチレンカーボネート（ＥＣ）、プロピレンカーボネート（ＰＣ）、ジエチルカーボネート（ＤＥＣ）、ジメチルカーボネート（ＤＭＣ）、エチルメチルカーボネート（ＥＭＣ）等が挙げられる。
支持塩としては、電荷担体（典型的にはリチウムイオン）を含むものであれば特に限定されず、一般的なリチウムイオン二次電池と同様のものを、１種または２種以上使用することができる。例えば、ＬｉＰＦ６、ＬｉＢＦ４、ＬｉＣｌＯ４、ＬｉＡｓＦ６、Ｌｉ（ＣＦ３ＳＯ２）２Ｎ、ＬｉＣＦ３ＳＯ３等のリチウム塩が挙げられる。特に好ましい支持塩としてＬｉＰＦ６が挙げられる。また、非水電解液は上記支持塩の濃度が０．７ｍｏｌ／Ｌ〜１．３ｍｏｌ／Ｌの範囲内となるように調製することが好ましい。
【００３５】
ここに開示される電池は、電極体の局所的な面圧増加が抑制されたものとなり得る。したがって、ここに開示される電池は、複数個が電気的に接続され、さらに拘束圧が掛けられて構築される組電池に好ましく適用され得る。また、ここに開示される電池によると、信頼性の高い電池（例えばリチウムイオン二次電池）を提供することができる。したがって、ここに開示される電池は、例えば、自動車等の車両に搭載される駆動用電源として好適に用いることができる。特にプラグインハイブリッド自動車（ＰＨＶ）、ハイブリッド自動車（ＨＶ）、電気自動車（ＥＶ）、等の駆動用電源として好適である。また、本発明によれば、ここに開示される電池（例えばリチウムイオン二次電池）を、好ましくは動力源として備えた車両が提供される。
【００３６】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００３７】
１０    絶縁フィルム
１２    第１幅広部
１４    第２幅広部
１６    底部
１８    凹部
２０    傾斜部
３０    電池ケース
３２    ケース本体
３４    蓋体
３６    安全弁
３７    幅広面
３８    幅狭面
３９    底面
４２    正極端子
４２ａ  正極集電板
４４    負極端子
４４ａ  負極集電板
５０    正極
５２    正極集電体
５３    正極活物質層非形成部分
５４    正極活物質層
６０    負極
６２    負極集電体
６３    負極活物質層非形成部分
６４    負極活物質層
７０    セパレータ
８０    捲回電極体
８０Ｒ１、８０Ｒ２    Ｒ部
８０Ｆ  扁平部
８２ａ  扁平表面
８２ｂ  扁平表面
８６    巻止めテープ
８８    終端部
１００  非水電解液二次電池（リチウムイオン二次電池）
【図１】
2019067653.tif 000003
【図２】
2019067653.tif 000004
【図３】
2019067653.tif 000005
【図４】
2019067653.tif 000006
【図５】
2019067653.tif 000007